(57)【要約】【課題】容易に設置することができるエレベータ昇降路用配線装置を得る。【解決手段】昇降路内に配線１を敷設するための配線装置２１であって、昇降路の壁に対して固定される固定部材２３と、固定部材２３に設けられ、配線１を保持する複数の保持装置２４とを備えている。固定部材２３は平行に配置された一対のガイドケーブル２７を有し、保持装置２４は、ガイドケーブル２７に渡って設けられている。保持装置２４は、隣り合う配線１が間隔を置いて配置されるように、配線１を保持する。【選択図】図２
2012086951.tif 000002
【特許請求の範囲】
【請求項１】
昇降路内に線状部材を敷設するためのエレベータ昇降路用配線装置であって、
前記昇降路の壁に対して固定される固定部材と、
前記固定部材に設けられ、前記線状部材を保持する複数の保持装置とを備えたことを特徴とするエレベータ昇降路用配線装置。
【請求項２】
前記保持装置は、隣り合う前記線状部材が間隔を置いて配置されるように前記線状部材を保持することを特徴とする請求項１に記載のエレベータ昇降路用配線装置。
【請求項３】
前記固定部材は、前記線状部材の長手方向に延びて形成されていることを特徴とする請求項１または請求項２に記載のエレベータ昇降路用配線装置。
【請求項４】
前記固定部材は、平行に配置された一対のガイドケーブルを有し、
前記保持装置は、前記ガイドケーブルに渡って設けられていることを特徴とする請求項１ないし請求項３の何れか１項に記載のエレベータ昇降路用配線装置。
【請求項５】
前記保持装置には、前記線状部材の形状に合う凹部が形成されていることを特徴とする請求項１ないし請求項４の何れか１項に記載のエレベータ昇降路用配線装置。
【請求項６】
前記保持装置は、前記線状部材を保持するときに前記線状部材の形状に合うように変形する弾性部を有していることを特徴とする請求項１ないし請求項４の何れか１項に記載のエレベータ昇降路用配線装置。
【発明の詳細な説明】
【技術分野】
【０００１】
この発明は、昇降路内に線状部材を敷設するためのエレベータ昇降路用配線装置に関する。
【背景技術】
【０００２】
従来、昇降路の壁にボルトを用いて固定され、電線を保持する複数の保持装置を備えたエレベータ昇降路用配線装置が知られている。保持装置が電線の長手方向に並べて配置される。各保持装置が昇降路の壁に固定された状態で、電線が保持装置に保持されることにより、電線が昇降路内に敷設される（例えば、特許文献１参照）。
【先行技術文献】
【特許文献】
【０００３】
【特許文献１】特開２００３−３４１９５６号公報
【発明の概要】
【発明が解決しようとする課題】
【０００４】
しかしながら、各保持装置がボルトを用いて昇降路の壁に取り付けられるので、昇降路の壁には、各保持装置の設置位置に応じて、ボルトが取り付けられるための穴を形成しなければならない。これにより、エレベータ昇降路用配線装置の設置に手間がかかってしまうという問題点があった。
【０００５】
この発明は、容易に設置することができるエレベータ昇降路用配線装置を提供するものである。
【課題を解決するための手段】
【０００６】
この発明に係るエレベータ昇降路用配線装置は、昇降路内に線状部材を敷設するためのエレベータ昇降路用配線装置であって、前記昇降路の壁に対して固定される固定部材と、前記固定部材に設けられ、前記線状部材を保持する複数の保持装置とを備えている。
【発明の効果】
【０００７】
この発明に係るエレベータ昇降路用配線装置によれば、固定部材が昇降路の壁に対して固定され、線状部材を保持する複数の保持装置が固定部材に設けられているので、昇降路の壁には保持装置を取り付けるための穴を形成する必要がなくなり、容易にエレベータ昇降路用配線装置を設置することができる。
【図面の簡単な説明】
【０００８】
【図１】この発明の実施の形態１に係るエレベータ昇降路を示す斜視図である。
【図２】図１の配線装置を示す拡大図である。
【図３】図２の保持部材を示す分解斜視図である。
【発明を実施するための形態】
【０００９】
実施の形態１．
図１はこの発明の実施の形態１に係るエレベータ昇降路を示す斜視図である。図において、エレベータ昇降路には、エレベータ機械室に設置された制御盤（図示せず）に電気的に接続される複数の配線（線状部材）１が設けられている。配線１は、電線や光ファイバーケーブル等から構成されている。各配線１は、昇降路の高さ方向に延びて配置されている。
【００１０】
最上階にある乗場の位置に対応した昇降路の部分には、上部終点スイッチ２および乗場操作信号器具３が設けられている。昇降路の上部には、配線１に接続された配線分配ＢＯＸ４が設けられている。配線分配ＢＯＸ４には、配線５および配線６が接続されている。上部終点スイッチ２は、配線５に接続されている。つまり、上部終点スイッチ２は、配線分配ＢＯＸ４および配線５を介して、配線１に電気的に接続されている。これにより、上部終点スイッチ２の検出信号が制御盤に送られるようになっている。乗場操作信号器具３は、配線６に接続されている。つまり、乗場操作信号器具３は、配線分配ＢＯＸ４および配線６を介して、配線１に電気的に接続されている。これにより、乗場操作信号器具３の操作信号が制御盤に送られるようになっている。
【００１１】
中間階にある乗場の位置に対応した昇降路の部分には、乗場操作信号器具７および戸閉検出スイッチ８が設けられている。昇降路の中間部には、配線１に接続された配線分配ＢＯＸ９が設けられている。配線分配ＢＯＸ９には、配線１０および配線１１が接続されている。乗場操作信号器具７は、配線１０に接続されている。つまり、乗場操作信号器具７は、配線分配ＢＯＸ９および配線１０を介して、配線１に電気的に接続されている。これにより、乗場操作信号器具７の操作信号が制御盤に送られるようになっている。戸閉検出スイッチ８は、配線１１に接続されている。つまり、戸閉検出スイッチ８は、配線分配ＢＯＸ９および配線１１を介して、配線１に電気的に接続されている。これにより、戸閉検出スイッチ８の検出信号が制御盤に送られるようになっている。
【００１２】
最下階の位置に対応した昇降路の部分には、下部終点スイッチ１２、乗場操作信号器具１３、戸閉検出スイッチ１４およびピット安全スイッチ１５が設けられている。昇降路の下部には、配線１に接続された配線分配ＢＯＸ１６が設けられている。配線分配ＢＯＸ１６には、配線１７、配線１８、配線１９および配線２０が接続されている。
【００１３】
下部終点スイッチ１２は、配線１７に接続されている。つまり、下部終点スイッチ１２は、配線分配ＢＯＸ１６および配線１７を介して、配線１に電気的に接続されている。これにより、下部終点スイッチ１２の検出信号が制御盤に送られるようになっている。
【００１４】
乗場操作信号器具１３は、配線１８に接続されている。つまり、乗場操作信号器具１３は、配線分配ＢＯＸ１６および配線１８を介して、配線１に電気的に接続されている。これにより、乗場操作信号器具１３の操作信号が制御盤に送られるようになっている。
【００１５】
戸閉検出スイッチ１４は、配線１９に接続されている。つまり、戸閉検出スイッチ１４は、配線分配ＢＯＸ１６および配線１９を介して、配線１に電気的に接続されている。これにより、戸閉検出スイッチ１４の検出信号が制御盤に送られるようになっている。
【００１６】
ピット安全スイッチ１５は、配線２０に接続されている。つまり、ピット安全スイッチ１５は、配線分配ＢＯＸ１６および配線２０を介して、配線１に電気的に接続されている。これにより、ピット安全スイッチ１５の検出信号が制御盤に送られるようになっている。
【００１７】
昇降路には、配線１を昇降路内に敷設するための配線装置（エレベータ昇降路用配線装置）２１が設けられている。図２は図１の配線装置２１を示す拡大図である。配線装置２１は、昇降路の上下両端部のそれぞれに固定された基部２２と、両端部が基部２２に固定され配線１の長手方向に延びて形成された固定部材２３と、固定部材２３に設けられた複数の保持装置２４とを備えている。
【００１８】
各基部２２は、配線１が並べられた方向に延びた腕部２５と、腕部２５の長手方向一端部に設けられ、昇降路の壁に接続された接続部２６とを有している。
【００１９】
固定部材２３は、両端部が各基部２２の腕部２５に接続された一対のガイドケーブル２７と、各ガイドケーブル２７の中間部に設けられたターンバックル２８とを有している。ガイドケーブル２７は、配線１の長手方向に延びて配置されている。一対のガイドケーブル２７は、平行に配置されている。ガイドケーブル２７が配置される位置は、かごおよび釣合い錘の昇降の障害にならない位置となっている。ターンバックル２８は、長さ調節が可能となっている。これにより、ガイドケーブル２７には、適切な張力が加えられるようになっている。
【００２０】
保持装置２４は、両端部が各ガイドケーブル２７に取り付けられる支持部材２９と、ボルト（図示せず）を用いて支持部材２９の両端部に連結される固定金具３０と、支持部材２９に支持される複数の保持部材３１と、ボルト（図示せず）を用いて支持部材２９に連結される押え部材３２とを有している。保持装置２４は、隣り合う配線１が間隔を置いて配置されるように配線１を保持する。
【００２１】
支持部材２９は、支持部材２９と固定金具３０とがガイドケーブル２７を挟むことにより、ガイドケーブル２７に固定される。
【００２２】
押え部材３２は、保持部材３１を支持部材２９に押さえつける。これにより、保持部材３１が支持部材２９から外れることが防止される。
【００２３】
保持部材３１は、配線１が並べられた方向に並べられている。図３は図２の保持部材３１を示す分解斜視図である。保持部材３１は、支持部材２９に取り付けられる第１の固定部３３と、第１の固定部３３に取り付けられる第２の固定部３４とを有している。
【００２４】
第１の固定部３３は、固定部本体３５と、固定部本体３５に固定された一対のパッチン爪３６とを有している。パッチン爪３６は支持部材２９を挟むようになっている。パッチン爪３６が支持部材２９を挟むことにより、第１の固定部３３が支持部材２９に着脱可能に固定される。固定部本体３５には、配線１の形状に合う凹部３５ａが形成されている。この例では、２種類の配線１の形状に合うように、２種類の凹部３５ａが形成されている。
【００２５】
第２の固定部３４は、固定部本体３７と、固定部本体３７に固定された一対のパッチン爪３８とを有している。パッチン爪３８は第１の固定部３３の固定部本体３５を挟むようになっている。パッチン爪３８が第１の固定部３３の固定部本体３５を挟むことにより、第２の固定部３４が第１の固定部３３に着脱可能に固定される。
【００２６】
配線１は、第１の固定部３３の凹部３５ａに配置されて、第１の固定部３３および第２の固定部３４に挟まれる。これにより、配線１と第１の固定部３３との接触面積が大きくなる。その結果、配線１の長手方向についての保持装置２４に対する配線１の移動が防止される。
【００２７】
以上説明したように、この発明の実施の形態１に係る配線装置２１によれば、固定部材２３が昇降路の壁に対して固定され、配線１を保持する複数の保持装置２４が固定部材２３に設けられているので、昇降路の壁には保持装置２４を取り付けるための穴を形成する必要がなくなり、例えば、昇降路の壁面の材質により穴の形成が困難である場合であっても、容易に配線装置２１を設置することができる。また、保持装置２４が固定部材２３に設けられるので、昇降路の壁面に梁等が敷設されている場合であっても、適切な位置に保持装置２４を容易に配置することができる。その結果、梁等を迂回するために保持装置２４の数を増加させる必要がなくなり、作業効率を向上させることができる。
【００２８】
また、保持装置２４は、隣り合う配線１が間隔を置いて配置されるように配線１を保持するので、隣り合う配線１が絡み合うことを防止することができる。
【００２９】
また、固定部材２３は、配線１の長手方向に延びて形成されているので、配線１を見栄えよく配置することができる。
【００３０】
また、固定部材２３は、平行に配置されたガイドケーブル２７を有し、保持装置２４は、ガイドケーブル２７に渡って設けられているので、保持装置２４が配線１を中心に回転することを防止することができる。これにより、配線１が絡み合うことを防止することができる。
【００３１】
また、保持装置２４には、配線１の形状に合う凹部３５ａが形成されているので、保持装置２４における配線１との接触面積を大きくすることができる。これにより、保持装置２４と配線１との間における摩擦力を大きくすることができ、その結果、配線１の長手方向についての保持装置２４に対する配線１の移動が防止される。
【００３２】
なお、上記実施の形態１では、配線１を昇降路内に敷設するための配線装置２１について説明したが、その他の配線を昇降路内に敷設するための配線装置であってもよい。
【００３３】
また、上記実施の形態１では、昇降路の高さ方向に延びて配置された配線１を敷設するための配線装置２１について説明したが、その他の方向、例えば、水平方向に延びて配置された配線を敷設するための配線装置であってもよい。
【００３４】
また、上記実施の形態１では、配線１の形状に合う凹部３５ａが形成された保持装置２４について説明したが、凹部３５ａが形成されず、配線１を保持するときに配線１の形状に合うように変形する弾性部を有した保持装置であってもよい。
【００３５】
また、上記実施の形態１では、配線１の形状に合う凹部３５ａが第１の固定部３３に形成された構成について説明したが、配線１の形状に合う凹部が第２の固定部３４に形成された構成であってもよい。
【００３６】
また、上記実施の形態１では、ガイドケーブル２７を有した固定部材２３について説明したが、例えば、保持装置２４が取り付け可能な棒部材を有した固定部材２３であってもよい。
【００３７】
また、上記実施の形態１では、一対のガイドケーブル２７を有した固定部材２３について説明したが、１本のガイドケーブル２７を有した固定部材であってもよい。この場合、ガイドケーブル２７を中心とした配線１のねじれを防止するために、ガイドケーブル２７の換わりにねじれが発生しにくい棒部材を用いることが望ましい。
【００３８】
また、上記実施の形態１では、パッチン爪３６を有した第１の固定部３３について説明したが、パッチン爪３６を有さず、ボルト等を用いて、支持部材２９に着脱可能に固定される第１の固定部３３であってもよい。
【００３９】
また、上記実施の形態１では、パッチン爪３８を有した第２の固定部３４について説明したが、パッチン爪３８を有さず、ボルト等を用いて、第１の固定部３３に着脱可能に固定される第２の固定部３４であってもよい。
【００４０】
また、上記実施の形態１では、配線１の数に応じた数の保持部材３１を有した保持装置２４の構成について説明したが、複数の配線１を同時に保持する一個の保持部材を有した保持装置であってもよい。また、配線１の数よりも多い数の保持部材３１を有した保持装置２４であってもよい。これにより、配線１を後から容易に追加することができる。
【符号の説明】
【００４１】
１  配線（線状部材）、２  上部終点スイッチ、３  乗場操作信号器具、４  配線分配ＢＯＸ、５  配線、６  配線、７  乗場操作信号器具、８  戸閉検出スイッチ、９  配線分配ＢＯＸ、１０  配線、１１  配線、１２  下部終点スイッチ、１３  乗場操作信号器具、１４  戸閉検出スイッチ、１５  ピット安全スイッチ、１６  配線分配ＢＯＸ、１７  配線、１８  配線、１９  配線、２０  配線、２１  配線装置（エレベータ昇降路用配線装置）、２２  基部、２３  固定部材、２４  保持装置、２５  腕部、２６  接続部、２７  ガイドケーブル、２８  ターンバックル、２９  支持部材、３０  固定金具、３１  保持部材、３２  押え部材、３３  第１の固定部、３４  第２の固定部、３５  固定部本体、３５ａ  凹部、３６  パッチン爪、３７  固定部本体、３８  パッチン爪。
【図１】
2012086951.tif 000003
【図２】
2012086951.tif 000004
【図３】
2012086951.tif 000005